(57)【要約】【課題】１つの画像形成ジョブにおいて複数の異サイズ用紙間で長さが一致する辺を有しない場合であっても、画像形成後に後処理を行う。【解決手段】パンチ設定画面上で１つの画像形成ジョブに関し後処理情報を、複数の用紙サイズについて一括設定し、後処理情報設定中にエラーテーブルを参照して、後処理禁止を示しているか否かを判定し、その結果が後処理禁止を示していなければ、複数の用紙サイズについて用紙間で長さが一致する辺を有しない場合であっても、供給される画像情報及び設定された後処理情報に基づいて画像形成手段に対し用紙に画像を形成させ、後処理手段に対し後処理を行わせる。【選択図】図４
2007084311.tif 000002
【特許請求の範囲】
【請求項１】
給紙される用紙に画像を形成する画像形成手段と、
該画像形成手段で画像が形成された用紙に対し物理的に後処理を行う後処理手段と、
複数の用紙サイズについて用紙間で長さが一致する辺を有しない場合であっても、供給される画像情報及び該後処理情報に基づいて該画像形成手段に対し用紙に画像を形成させ、該後処理手段に対し後処理を行わせる制御手段と、
を有することを特徴とする画像形成装置。
【請求項２】
縦又は横の用紙方向を基準として用紙の後処理辺を識別する後処理辺識別情報と、後処理辺に対する後処理内容を識別する後処理内容識別情報と、用紙のサイズ及び方向を識別する用紙識別情報とを含む後処理情報を、１つの画像形成ジョブに関し複数の用紙サイズについて設定する設定手段と、
用紙の辺の長さに関する辺サイズ情報と後処理禁止情報とが対応して格納された禁止情報記憶手段と、
該禁止情報記憶手段の記憶内容を参照して、該設定手段により設定しようとしている後処理情報が後処理禁止を示しているか否かを判定する判定手段と、
該複数の用紙サイズのいずれかについて該判定手段が後処理禁止を示していると判定した場合にはエラー情報を出力する出力手段と、
をさらに有し、該制御手段は、該エラー情報が後処理禁止を示している場合には、該画像形成手段に対し用紙に画像を形成させないことを特徴とする請求項１に記載の画像形成装置。
【請求項３】
該設定手段は、該複数の用紙サイズの用紙の互いに対応する辺を後処理辺として一括選択させ、該選択された複数の後処理辺の各々に対応した同種後処理を一括選択させることを特徴とする請求項２に記載の画像形成装置。
【請求項４】
該設定手段は、
表示手段と、
入力手段と、
該表示手段に該複数の用紙サイズの用紙画像を、選択した後処理辺が略同一線上になり該選択した後処理辺の中点が略一致するように重ねて表示させ、該入力手段による入力に応じて該選択した後処理辺又は該選択した後処理辺に対する後処理の内容を変更させる表示制御手段と、
を有することを特徴とする請求項３に記載の画像形成装置。
【請求項５】
該設定手段は、画面に後処理辺ボタンと後処理ボタンと該用紙画像とを表示させ、該用紙の一辺を他の辺と異なる表示にして該一辺を、選択された後処理辺に対応させ、該後処理辺ボタンがタッチされる毎に該後処理辺の選択辺を一方側の隣の辺にシフトさせ、該後処理ボタンがタッチされる毎に該選択辺上又は該選択辺に沿って後処理の内容を規則的にシフトさせるタッチパネルを有し、該選択辺を該後処理辺識別情報に対応させ、該ステープル表示位置を該後処理位置識別情報に対応させることを特徴とする請求項４に記載の画像形成装置。
【請求項６】
該制御手段は、該設定手段で設定された該後処理辺識別情報と該画像情報とに基づいて、該後処理手段で後処理された用紙束を捲ったときに画像の向きが全ページについて同一方向になるように、画像形成前に該画像情報を変更することを特徴とする請求項２乃至５のいずれか１つに記載の画像形成装置。
【発明の詳細な説明】
【技術分野】
【０００１】
本発明は、用紙を搬送して用紙に画像を形成する、プリンタ、複写機、ファクシミリ又は複合機等の画像形成装置に係り、特に、パンチ処理等の後処理を行う後処理手段を備えた画像形成装置に関する。
【背景技術】
【０００２】
下記特許文献１には、１つの印刷ジョブで２つの異サイズ用紙を使用する異サイズ用紙混載モードにおいて、それらの綴じ代位置を揃える構成が開示されている。
【０００３】
例えば、Ａ４縦とＡ３横の用紙を使用し、１枚目の印刷用紙がＡ４でその長辺を綴じ代に指定した場合、２枚目以降のＡ３用紙に対しては、Ａ３の短辺を綴じ代にするとともに、画像情報に対し画像の向きを示す情報を９０°等に回転したものに変更する（下記特許文献１の図５）。
【０００４】
しかしながら、この異サイズ用紙混載モードでは、大サイズ用紙の短辺と小サイズ用紙の長辺との長さが一致しない場合には、適用することができない。
【０００５】
一方、パンチ処理装置は用紙１枚毎にパンチ穴を形成することができるので、異サイズ用紙混載モードにおいて、図１１に示すように例えばＡ４横送りの用紙とＢ５横送りの用紙の両者をパンチ穴形成後に重ねて排紙することが可能である。
【０００６】
すなわち、従来では後処理装置の能力を充分に活用していなかった。
【０００７】
ここで、異サイズ用紙の各々に対して個別に綴じ代を設定するのは煩雑である。また、一方の用紙にパンチ穴を設定しても他方の用紙のパンチ穴設定が禁止されている場合には、該一方の設定が無駄になるか、一方の用紙にしかパンチ穴が形成されずユーザの意図した通りにならない。
【特許文献１】特開２０００−２３２６７７号公報
【発明の開示】
【発明が解決しようとする課題】
【０００８】
本発明は、本発明者によるこのような分析に基づいて案出されたものであり、その目的とするところは、１つの画像形成ジョブにおいて複数の異サイズ用紙間で長さが一致する辺を有しない場合であっても、画像形成後に後処理を行うことが可能な画像形成装置を提供することにある。
【０００９】
本発明の他の目的は、前記の場合に後処理情報を容易、迅速、かつ適正に設定することが可能な画像形成装置を提供することにある。
【課題を解決するための手段】
【００１０】
本発明による画像形成装置の第１態様では、
給紙される用紙に画像を形成する画像形成手段と、
該画像形成手段で画像が形成された用紙に対し物理的に後処理を行う後処理手段と、
複数の用紙サイズについて用紙間で長さが一致する辺を有しない場合であっても、供給される画像情報及び該後処理情報に基づいて該画像形成手段に対し用紙に画像を形成させ、該後処理手段に対し後処理を行わせる制御手段とを有する。
【００１１】
本発明による画像形成装置の第２態様では、第１態様において、
縦又は横の用紙方向を基準として用紙の後処理辺を識別する後処理辺識別情報と、後処理辺に対する後処理内容を識別する後処理内容識別情報と、用紙のサイズ及び方向を識別する用紙識別情報とを含む後処理情報を、１つの画像形成ジョブに関し複数の用紙サイズについて設定する設定手段と、
用紙の辺の長さに関する辺サイズ情報と後処理禁止情報とが対応して格納された禁止情報記憶手段と、
該禁止情報記憶手段の記憶内容を参照して、該設定手段により設定しようとしている後処理情報が後処理禁止を示しているか否かを判定する判定手段と、
該複数の用紙サイズのいずれかについて該判定手段が後処理禁止を示していると判定した場合にはエラー情報を出力する出力手段とをさらに有し、該制御手段は、該エラー情報が後処理禁止を示している場合には、該画像形成手段に対し用紙に画像を形成させない。
【００１２】
本発明による画像形成装置の第３態様では、第２態様において、該設定手段は、該複数の用紙サイズの用紙の互いに対応する辺を後処理辺として一括選択させ、該選択された複数の後処理辺の各々に対応した同種後処理を一括選択させる。
【００１３】
本発明による画像形成装置の第４態様では、第３態様において、
該設定手段は、
表示手段と、
入力手段と、
該表示手段に該複数の用紙サイズの用紙画像を、選択した後処理辺が略同一線上になり該選択した後処理辺の中点が略一致するように重ねて表示させ、該入力手段による入力に応じて該選択した後処理辺又は該選択した後処理辺に対する後処理の内容を変更させる表示制御手段とを有する。
【００１４】
本発明による画像形成装置の第５態様では、第４態様において、該設定手段は、画面に後処理辺ボタンと後処理ボタンと該用紙画像とを表示させ、該用紙の一辺を他の辺と異なる表示にして該一辺を、選択された後処理辺に対応させ、該後処理辺ボタンがタッチされる毎に該後処理辺の選択辺を一方側の隣の辺にシフトさせ、該後処理ボタンがタッチされる毎に該選択辺上又は該選択辺に沿って後処理の内容を規則的にシフトさせるタッチパネルを有し、該選択辺を該後処理辺識別情報に対応させ、該ステープル表示位置を該後処理位置識別情報に対応させる。
【００１５】
本発明による画像形成装置の第６態様では、第２乃至５態様のいずれか１つにおいて、該制御手段は、該設定手段で設定された該後処理辺識別情報と該画像情報とに基づいて、該後処理手段で後処理された用紙束を捲ったときに画像の向きが全ページについて同一方向になるように、画像形成前に該画像情報を変更する。
【発明の効果】
【００１６】
上記第１態様の構成によれば、１つの画像形成ジョブにおいて複数の異サイズ用紙間で長さが一致する辺を有しない場合であっても、画像形成後に後処理を行うことが可能であるので、後処理手段の能力を充分に活用することができ、ユーザの利便性向上に寄与するところが大きい。
【００１７】
上記第２態様の構成によれば、１つの画像形成ジョブに関し上記後処理情報を複数の用紙サイズについて設定し、後処理情報設定中に禁止情報記憶手段の記憶内容を参照して、設定手段により設定しようとしている後処理情報が後処理禁止を示しているか否かを判定し、その結果が後処理禁止を示していれば画像形成処理前にエラー情報が出力されるので、後処理を適正に行うことができるとともに、ユーザの操作性が向上する。
【００１８】
上記第３態様の構成によれば、該設定手段により、複数の用紙サイズの用紙の互いに対応する辺を後処理辺として一括選択させ、それらの後処理辺の各々に対応した同種後処理を一括選択させるので、異サイズ用紙の各々に対して個別に後処理情報を設定する必要がなく、しかも、いずれかのサイズの用紙について後処理が禁止されている場合にはその内容が表示されるので設定した後処理設定情報の一部が無駄になることがなく、したがって、容易迅速に後処理情報を設定することができ、ユーザの操作性が向上する。
【００１９】
上記第４態様の構成によれば、表示制御手段により表示手段に対し、複数のサイズの用紙画像を、選択した後処理辺が略同一線上になり該選択した後処理辺の中点が略一致するように重ねて表示させ、タッチ入力に応じて、選択した後処理辺又はこれに対する後処理の内容を変更させるので、設定ミスが防止されるとともに、さらに容易迅速に後処理情報を設定することができ、ユーザの操作性が向上する。
【００２０】
上記第５態様の構成によれば、後処理情報設定ルーチンを簡単化することができる。
【００２１】
本発明の他の目的、構成及び効果は以下の説明から明らかになる。
【実施例１】
【００２２】
以下、図面を参照して本発明の実施例を説明する。
【００２３】
図１は、本発明が適用された画像形成システムの概略構成を示すブロック図である。
【００２４】
このシステムは、画像形成装置１０、例えば複合機に、ホストコンピュータＨＣが結合されて構成されている。簡単化のために、以下では画像形成装置１０をプリンタとして利用する場合の構成について説明する。この場合、画像形成装置１０は、ホストコンピュータＨＣから供給される画像情報と画像形成装置１０で設定される情報とに基づいて、用紙に画像を形成する。
【００２５】
画像形成装置１０では、システム制御装置１１に画像情報メモリ１２、設定情報メモリ１３、エラー情報メモリ１３Ｅ、操作部１４、画像書込制御装置１５、用紙搬送制御装置１６及び後処理制御装置１７が結合されている。
【００２６】
システム制御装置１１は、ホストコンピュータＨＣから供給される画像情報を一旦、画像情報メモリ１２に格納させる。この画像情報は、アプリケーションプログラムの印刷ルーチンからプリンタドライバを介して供給されるものであり、デバイスの解像度等に依存しないＰＤＬ（ページ記述言語）で記述されている。システム制御装置１１は、ユーザが操作部１４を操作して設定した情報を、設定情報メモリ１３に格納させる。設定情報メモリ１３は、フラッシュメモリなどの再書き込み可能な不揮発性メモリである。エラー情報メモリ１３Ｅは、後述のエラー判定用エラーテーブルを予め格納するためのＲＯＭである。設定情報メモリ１３及びエラー情報メモリ１３Ｅは、ハードディスク等の外部記憶装置で構成してもよい。
【００２７】
システム制御装置１１は、後述のように設定情報メモリ１３及びエラー情報メモリ１３Ｅの内容に基づいて必要に応じ画像情報メモリ１２の内容を書き換え、これを画像書込制御装置１５に供給する。画像書込制御装置１５は、この画像情報に基づいて、ＰＤＬ記述画像をビットマップ展開し、そのビットマップデータに基づいてレーザビームをオン・オフ制御することにより、画像書込装置１５Ｍ内の感光体ドラム上に所望の静電潜像を形成させる。画像書込装置１５Ｍはトナーを該感光体ドラム上の帯電部に付着させて該静電潜像を現像させ、そのトナー像を用紙に静電転写させた後、定着させる。
【００２８】
システム制御装置１１は用紙搬送制御装置１６を介し用紙搬送装置１６Ｍを駆動して用紙を給紙段から画像書込装置１５Ｍへ搬送させ、画像書込装置１５Ｍで画像が形成された用紙を排紙トレイ上に排紙させる。両面印刷における用紙反対面画像については、この排紙を行わせずに用紙をスイッチバックさせ、再度画像書込装置１５Ｍに供給させて用紙反対面に画像を形成させた後、排紙トレイ上に排紙させる。
【００２９】
システム制御装置１１は、後処理をすべき情報が画像情報メモリ１２又は設定情報メモリ１３の内容に含まれている場合には、画像形成後の用紙束に対し後処理制御装置１７を介してステープル装置１７ＭＳ又はパンチ装置１７ＭＰによりステープル処理又はパンチ処理を行なわせる。なお、パンチ処理については用紙毎に行ってもよい。
【００３０】
図２は、後処理設定情報説明図である。以下においては、後処理がパンチ処理のみであり、また、用紙方向が縦である場合を説明する。
【００３１】
図２（Ａ）において、ポートレイト画像が形成される縦方向用紙に対し、パンチ処理を行う後処理辺Ｌ０〜Ｌ３の何れか１つ（Ｌ）を指定（選択）する。本実施例では、後処理辺は、用紙捲り方向を決定する綴じ代に一致している。
【００３２】
パンチ処理情報は、用紙の中央Ｏから見た後処理辺Ｌに沿った２穴パンチ処理、４穴パンチ処理、又はパンチ処理無しの情報であり、図２（Ｂ）は、選択された後処理辺Ｌに対応した綴じ代に対する２穴パンチ処理の場合を示している。
【００３３】
図３は、操作部１４で設定されて設定情報メモリ１３に格納される後処理情報のデータ構造を示す。
【００３４】
この情報は、後述のように、後処理辺が後処理辺Ｌ０〜Ｌ３の何れであるか又は未選択を示す後処理辺コード（後処理辺ＩＤ）ＥＣ＝０〜４と、２穴及び４穴のパンチ処理有無を示すパンチコードＰＣ＝０〜２と、綴じ代の幅（ｍｍ）と、用紙サイズ１及び用紙サイズ２（用紙方向を含む）とからなる。
【００３５】
綴じ代の幅方向中央ライン上にパンチ穴中心が一致するように、後処理が行われる。
【００３６】
図４は、図１の操作部１４のタッチパネルに表示される後処理設定画面を示す。この画面には、用紙選択コンボボックス２０Ａ、２０Ｂ、用紙２１Ａ、２１Ｂ、後処理辺ボタン２２、パンチボタン２３、インクリメントボタン２４、デクリメントボタン２５及びＯＫボタン２６が表示されている。
【００３７】
用紙選択コンボボックス２０Ａの矢印部をタッチすると、用紙のサイズ及び方向選択用プルダウンメニューが表示され、いずれかの用紙サイズ及び方向をタッチすると、これに対応した用紙２１Ａが図４の設定画面に表示される。用紙選択コンボボックス２０Ｂについても同様であり、選択された用紙サイズ及び方向に対応した用紙２１Ｂが図４の設定画面に表示される。
【００３８】
用紙選択コンボボックス２０Ａ及び２０Ｂで選択された用紙２１Ａ及び２１Ｂは、両者の後処理辺及びその中点を一致させて表示される。図４において用紙２１Ａ及び２１ＢＡをその上端側に給紙すれば、画像形成装置１０で画像を回転させることなく、所望の画像を形成することができる。すなわち、図４に示す例での給紙方向は、用紙２１Ａ及び２１Ｂの上端側（縦送り）である。
【００３９】
ボタン２１、２２へのタッチに応じて用紙２１Ａ及び２１Ｂの画像が後述のように変化し、後処理基本情報を容易に設定することが可能となっている。また、インクリメントボタン２４をタッチする毎に綴じ代幅設定値が１ｍｍインクリメントされ、デクリメントボタン２５をタッチする毎に綴じ代幅設定値が１ｍｍデクリメントされる。
【００４０】
図７は、後処理辺ボタン２２又はパンチボタン２３をタッチしたときの割り込み処理を示すフローチャートである。ボタン２２、２３に対応してそれぞれ上記後処理辺コードＥＣ及びパンチコードＰＣが用いられ、これらの値に応じて用紙２１Ａ及び２１Ｂ上の表示が変化する。
【００４１】
まず、後処理辺ボタン２２をタッチする毎に図４の用紙２１Ａ及び２１Ｂ上において、選択された後処理辺（太線）が図５に示す如く変化する。図５はパンチコードＰＣが０に設定されている場合を示す。後処理辺コードＥＣの初期値は０、後処理辺コードＥＣの最大値は４であり、４の次は０に戻る。ＥＣ＝４のときは太線非表示となり、後処理無しを意味する。
【００４２】
すなわち、後処理辺ボタン２２をタッチすると、図７において、ステップＳ１で肯定判定されてステップＳ２へ進み、ＥＣ＝４であればステップＳ３でＥＣ＝０とされ、そうでなければステップＳ４で後処理辺コードＥＣが１だけインクリメントされる。次に、ステップＳ５でＥＣ＝４と判定されればステップＳ７で後処理辺（太線）が非表示にされ、そうでなければステップＳ６で後処理辺コードＥＣの値に対応した後処理辺が太線表示される。
【００４３】
同様に、パンチボタン２３をタッチする毎に、選択された後処理辺に沿ったパンチ穴表示が図６に示す如く変化する。図６は後処理辺コードＥＣが０に設定されている場合を示す。パンチコードＰＣの初期値は０、パンチコードＰＣの最大値は２であり、２の次は０に戻る。ＰＣ＝０のときはパンチ穴非表示となり、パンチ処理無しを意味する。パンチコードＰＣが１、２のときはそれぞれ２穴パンチ有り、４穴パンチ有りを意味する。
【００４４】
すなわち、パンチボタン２３をタッチすると、図７において、ステップＳ１で否定判定され、ステップＳ８で肯定判定されてステップＳ９へ進み、パンチコードＰＣが１だけインクリメントされ又は０に戻され、図４の用紙２１Ａ及び２１Ｂ上においてパンチコードＰＣの値に応じた表示が行われる。
【００４５】
ここで、図８を参照して、図１のエラー情報メモリ１３Ｅに格納されるエラーテーブルを説明する。
【００４６】
このテーブルには、用紙の後処理辺のサイズ情報及びパンチコードＰＣと、これに対応したエラー（禁止）内容とが記述されている。図８中の後処理辺Ｌ及びＳはそれぞれ用紙の長辺及び短辺を示す。図８は、エラーの一例のみを示すものであり、例えば後処理辺がレターサイズ用紙の長辺又はＢ５サイズ用紙の長辺である場合には、２穴パンチ（ＰＣ＝１）が禁止される。後処理辺がレターサイズ用紙の長辺の場合に２穴パンチが禁止されるのは、サイズに因るものではなく、慣例に基づく。また、後処理辺がＡ４用紙短辺又はＢ５用紙長辺である場合には４穴パンチ（ＰＣ＝２）が禁止される。さらに、後処理辺がＢ４用紙長辺の場合には横送りが禁止（後処理が禁止、テーブル中のａｎｙはパンチコードＰＣの値に依存しないことを示す）される。
【００４７】
ステップＳ１０では、図８のテーブルを参照して、現在選択されている後処理情報が示す後処理が、禁止されている（エラーである）かどうかをチェックする。
【００４８】
ステップＳ１０でエラーと判定された場合にはステップＳ１１からＳ１２へ進み、エラーの内容をエラー対象の用紙サイズ及び方向とともにタッチパネル上に表示し、さらに電子ブザー音を発する。例えば図９に示すように、レター縦の用紙の後処理辺Ｌ０に２穴パンチを設定した場合には、２穴パンチの表示に×印を重ねて表示するとともに、図８のテーブル中の該当するエラー内容をその用紙サイズとともに表示する。
【００４９】
図４に示すＯＫボタン２６をタッチすると、エラー表示状態でなければ、図３の情報が図１の設定情報メモリ１３に格納されて確定する。エラー表示状態であれば、後処理情報を後処理無しに変更する。
【００５０】
一般に、用紙に関する設定はホストコンピュータＨＣで行うこともでき、本実施例においても同様である。すなわち、図８のような設定画面は、ホストコンピュータＨＣにインストールされているプリンタドライバを起動しても表示される。この場合、タッチパネルではなくポインティングデバイスで表示画面上をポインティングしクリック動作で設定するようにしてもよい。ホストコンピュータＨＣと画像形成装置１０の両方で設定されている場合には、原則としてホストコンピュータＨＣでの設定が優先される。例外として、画像形成装置１０の設定を優先させるように設定した場合にはそれによる。
【００５１】
図１０は、後処理が設定された１つの印刷ジョブにおいて画像形成装置１０がホストコンピュータＨＣから片面印刷の印刷用画像情報を受け取り画像情報メモリ１２に格納した後の任意の１ページの処理を示す概略フローチャートである。
【００５２】
（Ｓ２０）後処理辺が給紙方向前端、すなわち、後処理辺が図４の上端（ＥＣ＝１）であれば、ステップＳ２２へ進み、そうでなければステップＳ２１へ進む。
【００５３】
（Ｓ２１）後処理辺が図４の右（ＥＣ＝２）であれば、画像情報メモリ１２内の画像情報に対し、画像が左に９０°回転するように回転角情報を変更する。後処理辺が図４の左（ＥＣ＝０）であれば、画像情報メモリ１２内の画像情報に対し、画像が右に９０°回転するように回転角情報を変更する。後処理辺が図４の下（ＥＣ＝３）であれば、画像情報メモリ１２内の画像情報に対し、画像が１８０°回転するように回転角情報を変更する
（Ｓ２２）システム制御装置１１は、画像情報メモリ１２の内容を画像書込制御装置１５に供給し、画像書込制御装置１５はこれに応答して画像書込装置１５Ｍに対し用紙に画像を形成させる。システム制御装置１１は、指定されたサイズ及び向きの用紙が載置されている給紙段を選択し、画像書込制御装置１５からの要求に応答して、用紙搬送制御装置１６を介し用紙搬送装置１６Ｍに、該給紙段の用紙を搬送させる。また、システム制御装置１１は、後処理情報を後処理制御装置１７に供給し、後処理可能な条件が成立した時に用紙搬送制御装置１６から供給される要求に応答して、後処理制御装置１７に後処理を実行させる。ステープル装置１７ＭＳ又はパンチ装置１７ＭＰは、この後処理情報に基づいて後処理を実行する。
【００５４】
以上説明したように、本実施例１によれば、１つの画像形成ジョブに関し図３に示すような後処理情報を、複数の用紙サイズについて設定し、後処理情報設定中に図８に示すようなエラーテーブルを参照して、後処理禁止を示しているか否かを判定し、その結果が後処理禁止を示していなければ、複数の用紙サイズについて用紙間で長さが一致する辺を有しない場合であっても、供給される画像情報及び設定された後処理情報に基づいて画像形成手段に対し用紙に画像を形成させ、後処理手段に対し後処理を行わせるので、後処理手段の能力を充分に活用することができ、ユーザの利便性向上に寄与するところが大きい。
【００５５】
また、操作部１４において、複数の用紙サイズの用紙の互いに対応する辺を後処理辺として一括選択させ、それらの後処理辺の各々に対応した同種後処理を一括選択させるので、異サイズ用紙の各々に対して個別に後処理情報を設定する必要がなく、しかも、いずれかのサイズの用紙について後処理が禁止されている場合にはその内容が表示されるので設定した後処理設定情報の一部が無駄になることがなく、したがって、容易迅速に後処理情報を設定することができ、ユーザの操作性が向上する。
【００５６】
さらに、操作部１４に複数のサイズの用紙画像を、選択した後処理辺が略同一線上になり該選択した後処理辺の中点が略一致するように重ねて表示させ、タッチ入力に応じて、選択した後処理辺又はこれに対する後処理の内容を変更させるので、設定ミスが防止されるとともに、さらに容易迅速に後処理情報を設定することができ、ユーザの操作性が向上する。
【００５７】
なお、本発明には外にも種々の変形例が含まれる。
【００５８】
例えば、上記実施例では１つのジョブで２種類の用紙サイズを用いる場合を説明したが、本発明は３種類以上の用紙サイズに対しても適用可能である。
【００５９】
また、上記実施例では後処理がパンチ処理である場合を説明したが、本発明は、複数の用紙サイズについて用紙間で長さが一致する辺を有しない場合にも後処理できるものであればよい。
【００６０】
さらに、図４において用紙選択コンボボックス２０Ａ及び２０Ｂを表示させる代わりに、用紙のサイズと向きのリストを一覧表示させ、それぞれに例えばチェックボックスを表示させ、選択したもののチェックボックスにレ印等を表示させる構成であってもよいことは勿論である。
【００６１】
また、上記実施例では用紙方向が縦（ポートレイト）に設定されている場合について説明したが、用紙方向が横（ランドスケープ）に設定されている場合については、図４中に表示される用紙を横置きにして上記同様に処理すればよいことは明らかである。
【００６２】
また、上記実施例では片面印刷の場合について説明したが、両面印刷の場合についても本発明を適用可能であることは明らかである。両面印刷で反対面画像を形成する場合、画像の方向が給紙方向と直角であるとき、画像を１８０゜回転させることにより、後処理装置で後処理された用紙束を綴じ代に基づいて捲ったときに画像の向きが全ページについて同一方向になるようにする。
【００６３】
また、小型プリンタでは表示部が比較的小さいので、本発明の設定手段はＧＵＩを備えているものに限定されず、文字又は記号を表示する手段を備えたものであってもよい。
【００６４】
さらにまた、上記実施例では画像形成システムがプリンタである場合を説明したが、本発明は後処理手段を備えた複写機やファクシミリにも適用可能である。
【００６５】
また、画像形成手段は、供給される用紙に画像を形成するものであればよく、レーザ静電転写方式に限定されず、インクジェット方式等であってもよいことは勿論である。
【図面の簡単な説明】
【００６６】
【図１】本発明が適用された画像形成システムの概略構成を示すブロック図である。
【図２】後処理設定情報説明図である。
【図３】操作部で設定されて設定情報メモリに格納される後処理情報のデータ構造を示す図である。
【図４】図１の操作部のタッチパネルに表示される後処理設定画面を示す図である。
【図５】図４の後処理辺ボタンをタッチする毎に変化する、選択される後処理辺の説明図である。
【図６】図４のパンチボタンをタッチする毎に変化する、選択される後処理内容の説明図である。
【図７】図４の後処理辺ボタン又はパンチボタンをタッチしたときの割り込み処理を示すフローチャートである。
【図８】後処理設定エラー情報のデータ説明図である。
【図９】後処理設定画面に表示されるエラー情報の説明図である。
【図１０】後処理が設定された１つの印刷ジョブにおいて画像形成装置がホストコンピュータから片面印刷の印刷用画像情報を受け取り画像情報メモリに格納した後の任意の１ページの処理を示す概略フローチャートである。
【図１１】従来技術の問題点説明図である。
【符号の説明】
【００６７】
１０  画像形成装置
１１  システム制御装置
１２  画像情報メモリ
１３  設定情報メモリ
１３Ｅ  エラー情報メモリ
１４  操作部
１５  画像書込制御装置
１５Ｍ  画像書込装置
１６  用紙搬送制御装置
１６Ｍ  用紙搬送装置
１７  後処理制御装置
１７ＭＳ  ステープル装置
１７ＭＰ  パンチ装置
２０Ａ、２０Ｂ  用紙選択コンボボックス
２１Ａ、２１Ｂ  用紙
２２  後処理辺ボタン
２３  パンチボタン
２４  インクリメントボタン
２５  デクリメントボタン
２６  ＯＫボタン
ＨＣ    ホストコンピュータ
Ｌ０〜Ｌ３、Ｌ  後処理辺
ＥＣ  後処理辺コード
ＰＣ  パンチコード
【図１】
2007084311.tif 000003
【図２】
2007084311.tif 000004
【図３】
2007084311.tif 000005
【図４】
2007084311.tif 000006
【図５】
2007084311.tif 000007
【図６】
2007084311.tif 000008
【図７】
2007084311.tif 000009
【図８】
2007084311.tif 000010
【図９】
2007084311.tif 000011
【図１０】
2007084311.tif 000012
【図１１】
2007084311.tif 000013